(57)【特許請求の範囲】
【請求項１】
内視鏡の本体操作部に設けられ、挿入部の先端に開口する吸引口からの吸引通路と、吸引源装置からの吸引源側通路とが接続されて、この吸引源側通路を大気と連通する状態と、大気と遮断して前記吸引通路に連通する状態とに切り換える内視鏡の吸引制御装置において、
前記本体操作部に装着され、前記吸引通路を接続した弁ケーシングと、
前記弁ケーシング内に装着され、前記吸引源側通路が接続される弁ガイド部材と、
前記弁ガイド部材に装着され、この弁ガイド部材により前記弁ケーシングの軸線方向に向けて移動可能にガイドされ、弁部を備えたプランジャとからなり、
前記プランジャ及び前記弁ガイド部材は前記弁ケーシングに対して着脱可能となっており、またこの弁ガイド部材と弁ケーシングとの間にはシール部材が介装され、
前記弁ケーシングには前記弁部が摺動可能な摺動面部が形成され、この摺動面部に前記弁部が当接したときには、前記吸引通路と前記吸引源側通路を遮断する閉弁状態となり、前記プランジャを移動させて、前記弁部を前記摺動面部から離脱させると、前記吸引通路と前記吸引源側通路とを連通させる開弁状態に切り換わる
構成としたことを特徴とする内視鏡の吸引制御装置。
【請求項２】
前記弁部は前記プランジャの先端に装着した円環状の弾性部材で構成したことを特徴とする請求項１記載の内視鏡の吸引制御装置。
【請求項３】
前記プランジャは付勢手段により前記弁部を閉弁状態に維持し、このときに前記吸引源側通路は大気と連通するようになし、このプランジャを付勢手段に抗して前記弁ケーシング内に押し込むことによって、前記吸引源側通路と大気との連通間を遮断し、かつ開弁状態に変位可能な構成としたことを特徴とする請求項１記載の内視鏡の吸引制御装置。
【請求項４】
前記弁ケーシングは前記摺動面部を境として、前記吸引通路が開口する第１のチャンバと、前記吸引源側通路に連通する第２のチャンバとに区画形成可能なものであり、前記プランジャには、前記弁部の前記摺動面部から離脱して開弁状態となったときに、前記第１のチャンバと前記第２のチャンバ間を連通させるための連通路を形成する構成としたことを特徴とする請求項３記載の内視鏡の吸引制御装置。
【発明の詳細な説明】
【技術分野】
【０００１】
本発明は、内視鏡に設けられ、体内汚物や体液等を吸引除去するための内視鏡吸引機構を構成する吸引制御装置に関するものである。
【背景技術】
【０００２】
内視鏡により被検者の体内の検査や処置等を行うに当って、観察視野を良好にするために吸引機構が設けられており、体内汚物や血液その他の体液が充満して、十分な観察視野が得られないときには、それらを吸引除去できるように構成している。通常、吸引経路としては、鉗子等の処置具を挿通するための処置具挿通チャンネルが利用されるが、独立の吸引通路を挿入部に設けることもできる。いずれにしろ、本体操作部には吸引バルブとその操作部材とから構成される吸引制御装置が装着されており、この吸引制御装置には吸引源装置に接続した吸引源側通路が接続されており、必要なときに吸引制御装置をマニュアル操作することによって、必要なだけの吸引を行うことができるようになる。
【０００３】
ところで、前述した吸引操作を行うと、吸引経路、つまり処置具挿通チャンネルを含む吸引通路及び吸引バルブの内部、さらには吸引源側通路の内面が汚損されることになる。従って、この内視鏡を再使用する際には、予め吸引経路の洗浄及び消毒を行わなければならない。処置具挿通チャンネルそれに連なる吸引通路及び吸引源側通路は、いずれも管路であることから、比較的容易に洗浄することができる。しかしながら、吸引バルブは吸引通路と吸引源側通路とを連通・遮断する機構であり、従って複雑な通路構成となっているので、本体操作部に装着したままでは完全な洗浄を行うのは非常に困難である。
【０００４】
以上の点を勘案して、洗浄性の良好な構成とした吸引バルブが、例えば特許文献１に開示されている。そこで、図７及び図８を参照して、この特許文献１に示されている吸引制御装置の構成について説明する。図中において、１は内視鏡の本体操作部を構成する筐体であって、この筐体１には吸引制御装置のバルブホルダ２が固定的に装着されている。バルブホルダ２の下端部は挿入部の先端に形成した吸引口に通じる吸引通路３が接続された吸引ポート４となっている。
【０００５】
バルブホルダ２内には吸引バルブ５が着脱可能に装着されている。吸引バルブ５は、スリーブ６と、弁部７を有するプランジャ８とから構成されている。スリーブ６はバルブホルダ２内に着脱可能に装着されており、このバルブホルダ２から所定の長さだけ突出している。そして、スリーブ６のバルブホルダ２からの突出部には吸引源側通路９が接続して設けられており、この吸引源側通路９には図示しない吸引源装置に接続されるようになっている。
【０００６】
プランジャ８におけるスリーブ６内の途中位置には円環状突条１０が設けられており、この円環状突条１０はスリーブ６の内面に摺接ガイドされるようになっている。また、プランジャ８に設けられる弁部７は、このプランジャ８の下端部を概略円錐形状としたものから構成されて、弁部７はプランジャ８の外周部より突出している。また、スリーブ６の下端部には、ゴム等の弾性部材で概略円筒形状に形成した弾性シート１１が装着されており、プランジャ８に設けた弁部７は、プランジャ８の上下動によりこの弾性シート１１の内面と接離するようになっている。
【０００７】
プランジャ８の円環状突条１０には、一部に切り欠き１０ａが形成されており、また弁部７より上方位置には連通路１０ｂが設けられている。そして、スリーブ６の上端部にはフランジ部６ａが形成されており、またこのフランジ部６ａとプランジャ８の上部位置との間にはばね性を有するゴムで形成した弾性筒部材１２が装着されており、この弾性筒部材１２の周胴部には大気開放口１３が形成されている。さらに、スリーブ６におけるフランジ部６ａの内側の部位が突出しており、この部位が弾性筒部材１２が当接する着座部６ｂとなっている。
【０００８】
プランジャ８は本体操作部の筐体１から突出し、この突出部が吸引バルブ５の操作部材であり、本体操作部を把持する手の指で押動操作できるようになっている。そして、このプランジャ８に連結されている弾性筒部材１２は復帰手段を構成し、前述のようにしてプランジャ８を押動した後、押動力を解除すると、弾性筒部材１２の弾性復元力によって、プランジャ８は元の突出状態に復元する。
【０００９】
以上のように構成される特許文献１の吸引バルブは、常時においては、つまり非操作状態では、図７に示したように、弾性筒部材１２が円筒形状となって、本体操作部の筐体１から突出している。この状態が吸引バルブの非作動状態である。即ち、この弾性筒部材１２の作用によりプランジャ８が突出した位置にあって、このときには弁部７が弾性シート１１と当接している。その結果、バルブホルダ２に形成した吸引ポート４は吸引源側通路９と遮断されて閉弁状態となり、吸引源側通路９はプランジャ８の円環状突条１０に形成した切り欠き１０ａ及び大気開放口１３を介して大気と連通している。これによって、吸引通路３には負圧吸引力が発生せず、また吸引源側通路９が大気と連通する結果、吸引源装置は無負荷状態に保持される。
【００１０】
そこで、プランジャ８を弾性筒部材１２に抗して押し込むと、大気開放口１３が閉鎖されて、吸引源側通路９が大気と遮断される。また、プランジャ８の押し込みにより、このプランジャ８に設けた弁部７がこれに対応する他方の弁部として機能する弾性シート１１に沿って摺動して、この弾性シート１１から離脱して開弁することになるので、バルブホルダ２に設けた吸引ポート４が吸引源側通路９と連通する結果、吸引通路３に負圧吸引力を作用させることができる。
【００１１】
このように吸引通路３を吸引源側通路９と連通・遮断させる弁部７を設けたプランジャ８及び吸引源側通路９及び弁部７が接離する弾性シート１１を設けたスリーブ６からなる吸引バルブは、バルブホルダ２に対して着脱可能となっているので、内視鏡を臨床で使用した後に、この内視鏡を洗浄・消毒する際に、吸引バルブを構成する吸引バルブ５全体をバルブホルダ２から分離して取り出すことができる。従って、この吸引バルブ５を容易に洗浄でき、また吸引バルブ５を１回の使用毎に使い捨てとすることもできる。一方、バルブホルダ２の内部は底部が縮径された概略円筒形状となっていることから、ブラシ等を挿入することによって容易に、しかもむらなく完全に洗浄及び消毒することができる。
【特許文献１】特許第３４７６９５９号公報
【発明の開示】
【発明が解決しようとする課題】
【００１２】
前述した特許文献１においては、吸引バルブ５を構成する全ての部材がバルブホルダ２に対して着脱可能となっている。即ち、吸引バルブを構成する一方の弁部材を構成する弁部７と、他方の弁部材を構成する弾性シート１１は吸引バルブ５を構成するプランジャ８及びスリーブ６に設けられており、これらがバルブホルダ２に挿嵌されている。閉弁時には、弁部７は、その全周にわたって確実に弾性シート１１と密着していなければならず、弁部７と弾性シート１１の間が均等に圧接されていないと、十分な気密保持が得られなくなる。また、弾性シート１１は常にバルブホルダ２の内面に対して密着していなければならない。このように、弾性シート１１の内外における気密性が十分でないと、閉弁時及び開弁時に外気からの吸い込みが発生して、圧力損失が生じる可能性がある。
【００１３】
従って、弾性シート１１は弁部７またはバルブホルダ２のいずれか一方に圧接させ、その反力で他方の部材に押圧させてシール機能を発揮させることになる。このために、弾性シート１１は、バルブホルダ２に対しても、また弁部７に対しても厳格に調芯させなければならない。そして、これらに僅かでも軸心のずれが生じていると、気密漏れが発生する不都合を生じることになる。例えば、弁部７による弾性シート１１への圧縮量を大きくすれば、前述した気密漏れを防止することができるが、そうするとプランジャ８を移動させる操作が困難になる等といった不都合も生じる。
【００１４】
本発明は以上の点に鑑みてなされたものであって、その目的とするところは、吸引操作を軽い力で円滑に作動できるようになし、かつ吸引バルブの作動時に外気からの吸い込みを防止し、確実に気密保持できるようにすることにある。
【課題を解決するための手段】
【００１５】
前述した目的を達成するために、本発明は、内視鏡の本体操作部に設けられ、挿入部の先端に開口する吸引口からの吸引通路と、吸引源装置からの吸引源側通路とが接続されて、この吸引源側通路を大気と連通する状態と、大気と遮断して前記吸引通路に連通する状態とに切り換える内視鏡の吸引制御装置であって、前記本体操作部に装着され、前記吸引通路を接続した弁ケーシングと、前記弁ケーシング内に装着され、前記吸引源側通路が接続される弁ガイド部材と、前記弁ガイド部材に装着され、この弁ガイド部材により前記弁ケーシングの軸線方向に向けて移動可能にガイドされ、弁部を備えたプランジャとからなり、前記プランジャ及び前記弁ガイド部材は前記弁ケーシングに対して着脱可能となっており、またこの弁ガイド部材と弁ケーシングとの間にはシール部材が介装され、前記弁ケーシングには前記弁部が摺動可能な摺動面部が形成され、この摺動面部に前記弁部が当接したときには、前記吸引通路と前記吸引源側通路を遮断する閉弁状態となり、前記プランジャを移動させて、前記弁部を前記摺動面部から離脱させると、前記吸引通路と前記吸引源側通路とを連通させる開弁状態に切り換わる構成としたことをその特徴とするものである。
【００１６】
本体操作部に装着される弁ケーシングに形成した摺動面部に弁部が摺動して、吸引通路を吸引源側通路に連通・遮断する機能を発揮する。つまり、本体操作部に固定的に設けられる弁ケーシングと、この弁ケーシングに着脱可能に装着される弁部との間で弁機能を発揮させる構成としている。弁部は弁ケーシングの軸線方向に移動可能なプランジャに設けられる。この弁部はプランジャの先端に装着した円環状の弾性部材で構成することができる。ここで、プランジャは弁ガイド部材にガイドされるものであるが、この弁ガイド部材に対するプランジャのガイド面の軸線方向の長さを十分長くしておくことによって、プランジャの直進性が確保される。従って、弾性部材からなる弁部材は、あまり大きな撓み代を要することなく、閉弁時における吸引通路の密閉性を確保することができる。また、弁ガイド部材と弁ケーシングとの間は相対的に移動することがないので、例えばＯリング等の簡易なシール部材によって、その間は確実に気密状態に保持できる。
【００１７】
プランジャに付勢手段を作用させて、この付勢手段により弁部材を閉弁状態に維持させるようになし、またこのときに吸引源側通路は大気と連通するように構成することができる。そして、プランジャを付勢手段に抗して弁ケーシング内に押し込むことによって、吸引源側通路と大気との連通間を遮断し、かつ開弁状態に変位させる。また、弁ケーシングは摺動面部を境として、吸引通路が開口する第１のチャンバと、吸引源側通路に連通する第２のチャンバとに区画形成可能なものなし、プランジャには、弁部材による開弁状態となったときに、第１のチャンバと第２のチャンバ間を連通させるための連通路を形成することができる。
【発明の効果】
【００１８】
弁ケーシングに弁部が開閉される相手方となる摺動面部を形成して、軽い力で円滑に吸引操作を行うことができ、しかも外気からの吸い込みを確実に防止でき、安定した吸引操作を行えることになる。
【発明を実施するための最良の形態】
【００１９】
以下、図面に基づいて本発明の実施の形態について説明する。まず、図１に内視鏡の吸引機構の概略構成を示す。図中において、内視鏡２０は、本体操作部２１と挿入部２２及びユニバーサルコード２３から大略構成されるものである。挿入部２２には鉗子等の処置具を挿通するための処置具挿通チャンネル２４が設けられており、この処置具挿通チャンネル２４は、挿入部２２の先端部に吸引口として開口しており、他端は本体操作部２１において、処置具導入部２４ａとして開口している。そして、この処置具導入部２４ａには、処置具を挿通する時以外は鉗子栓２５により密閉されている。
【００２０】
前述した処置具挿通チャンネル２４は、また、吸引経路としても活用されるものであって、処置具挿通チャンネル２４は本体操作部２１内で吸引通路２６に分岐している。そして、この吸引通路２６は吸引バルブとその操作手段とからなる吸引制御装置３０に接続されている。吸引制御装置３０には吸引源側配管２７と接続されており、この吸引源側配管２７の他端は吸引源装置２８に接続されている。従って、吸引制御装置３０は、吸引源側配管２７を大気に連通させるか、吸引通路２６に接続させるかの切換制御を行うためのものであり、この切換制御は、本体操作部２１を把持する手の指で行うことができるようになっている。
【００２１】
そこで、図２乃至図６に吸引制御装置３０の具体的な構成を示す。図２において、３１は本体操作部２１の筐体であって、この筐体３１には吸引制御装置３０の弁ケーシング３２が装着されており、この弁ケーシング３２は筐体３１に固定的に設けられている。弁ケーシング３２の下端部（ここで、以下の説明においては、筐体３１の内部側を下方乃至下部側とし、筐体３１から突出する側を上方乃至上部側とする）には吸引通路２６が接続されている。そして、弁ケーシング３２の内面部には内向きに突出する段差部が形成されている。この段差は軸線方向に所定の長さを有する摺動面部３２ａを構成するものであり、弁ケーシング３２は、後述する弁部３９によって、摺動面部３２ａより下部側の第１のチャンバ３３と上部側の第２のチャンバ３４とに区画形成される。また、摺動面部３２ａにおける第１のチャンバ３３側への移行部はテーパ部３２ｂとなっている。なお、３５は弁ケーシング３２の外周面と筐体３１との間に介装されたシール部材である。
【００２２】
弁ケーシング３２内には、弁ガイド部材３６及びプランジャ３７が装着されている。弁ガイド部材３６は、弁ケーシング３２内において、第２のチャンバ３４側に概略密嵌状態にして挿嵌されており、この弁ガイド部材３６と弁ケーシング３２との間には、Ｏリング等からなるシール部材３８が介装されている。弁ガイド部材３６は、弁ケーシング３２の軸線方向において、同心性を確保するのに十分な挿嵌長を有している。また、プランジャ３７は、弁ガイド部材３６内に挿通されており、弁ガイド部材３６の内面には、このプランジャ３７を弁ガイド部材３６の軸線方向に向けて直進的にガイドするガイド面３６ａが形成されている。そして、弁ガイド部材３６におけるガイド面３６ａより上部位置であって、筐体３１から外部に位置する部位には接続パイプ３９が装着されており、この接続パイプ３９に吸引源側配管２７が連結されている。従って、接続パイプ３９は吸引源側配管２７と共に吸引源側通路を構成している。
【００２３】
弁ガイド部材３６に挿入ガイドされているプランジャ３７は、弁ガイド部材３６のガイド面３６ａに摺動するようにガイドされる本体軸３７ａを有し、この本体軸３７ａの下端部には延長部３７ｂが連設されており、この延長部３７ｂは、一度細径化した上で、さらにその下部位置を太径化させており、この太径化した部位には円環状の取付溝３７ｃが形成されている。そして、この取付溝３７ｃには、リング状の弾性部材からなる弁部４０が装着されている。この弁部４０は弁ケーシング３２に設けた摺動面部３２ａに対して摺接するようになっている。そして、弁部４０の外径寸法は、自由状態では、摺動面部３２ａの内径より大きくなっており、従って弁部４０が摺動面部３２ａ上に乗り上げると、第１のチャンバ３３と第２のチャンバ３４との間の連通が遮断されるようになっている。このときにおける気密性を確保するために、弁部４０はその全周にわたって摺動面部３２ａと当接している必要があるが、プランジャ３７は弁ガイド部材３６に対して、また弁ガイド部材３６は弁ケーシング３２に対して正確に調芯されているので、確実に気密が確保される。
【００２４】
図３に示したように、本体軸３７には連通路４１が軸線方向に向けて所定長さ分だけ形成されており、また本体軸３７の外周面と弁ガイド部材３６の内周面におけるガイド面３６ａを形成した部位より上部側には円環状通路４２が形成されている。そして、吸引源側通路を構成する接続パイプ３９はこの円環状通路４２に臨んでおり、またプランジャ３７の本体軸３７に設けた連通路４１はこの円環状通路４２に常時開口している。
【００２５】
プランジャ３７の上部には、弁ガイド部材３６の上端部より突出して、大径化された突端部３７ｄとなっている。そして、この突端部３７ｄには弾性筒部材４３の天蓋部４３ａが連結して設けられている。また、弾性筒部材４３はスカート部４３ｂを有し、このスカート部４３ｂは弁ガイド部材３６の上部位置に連結されている。この弾性筒部材４３のスカート部４３ｂは圧縮が可能であり、圧縮方向の力を解除すると、筒状となるように弾性復元するものである。また、スカート部４３ｂを圧縮する際には、常に、折れ線４４を境として、外向きに折れ曲がるようになる。さらに、弾性筒部材４３のスカート部４３ｂには大気に連通する開口部４５が形成されている。
【００２６】
以上のことから、プランジャ３７の突端部３７ｄは吸引制御装置３０を構成する吸引バルブの開弁操作を行う操作部材を構成し、また弾性筒部材４３は開弁状態から閉弁方向に付勢する付勢手段を構成するものであって、プランジャ３７の突端部３７ｄは手指等で押圧可能となっている。常時には、図２のように、プランジャ３７は弁ガイド部材３６に沿って引き上げられた状態に保持されており、このときには、弾性筒部材４３に設けた開口部４５が開いており、吸引源側通路を構成する接続パイプ３９は、プランジャ３７の本体軸３７ａの外周面と弁ガイド部材３６の内周面との間に形成した円環状通路４２及び弾性筒部材４３の内部を介して、開口部４５から大気と連通する状態となっている。
【００２７】
一方、プランジャ３７に設けた弁部４０は、弁ケーシング３２の摺動面部３２ａと当接している。また、弁ケーシング３２に対して弁ガイド部材３６は軸線方向において、所定の長さ分が面接触しており、さらにプランジャ３７はこの弁ガイド部材３６に対して軸線方向に所定の長さ面接触している。従って、弁ケーシング３２，弁ガイド部材３６及びプランジャ３７は確実に同心性が確保されている。そして、弁部４０の外径と摺動面部３２ａの内径との径差によって、弾性部材からなる弁部４０が撓められた状態になり、その間は気密性が確保される。その結果、弁ケーシング３２内において、第１のチャンバ３３と第２のチャンバ３４との間が気密状態に保持されて、吸引通路２６と吸引源側通路を構成する接続パイプ３９との間は遮断されている。
【００２８】
以上のように、接続パイプ３９は円環状通路４２及び開口部４５により大気と連通しているので、吸引源装置２８に接続されている吸引源側配管２７は大気と連通しており、吸引源装置２８は無負荷運転状態となる。また、この吸引源側配管２７は吸引通路２６と遮断されているので、吸引通路２６及び処置具挿通チャンネル２４に負圧吸引力が作用することはない。なお、第２のチャンバ３４と接続パイプ３９との間において、プランジャ３７の本体軸３７ａの外周面と弁ガイド部材３６の内周面とが実質的に面接触しているが、この部位は格別気密構造としている訳ではなく、円環状通路４２と第２のチャンバ３４とが連通していても良い。従って、プランジャ３７の本体軸３７ａに形成されている連通路４１は、この本体軸３７ａの下端部にまで延在させるようにすることもできる。
【００２９】
前述したように、常時においては、吸引制御装置３０によって、吸引通路２６と吸引源側配管２７を接続した接続パイプ３９とが遮断されて、弁部４０の閉弁状態に保持されている。従って、この状態では、処置具挿通チャンネル２４は、その本来としての機能、つまり鉗子等の処置具を挿通させて、適宜の処置を行うことができる状態となる。
【００３０】
体内からの吸引を行うためには、プランジャ３７における突端部３７ｄを手指で押動する。これによって、プランジャ３７は弁ケーシング３２内に設けた弁ガイド部材３６に沿って摺動することになり、その結果、図４に示したように、弾性筒部材４３におけるスカート部４３ｂが折れ線４４の位置で折れ曲がるように圧縮され、天蓋部４３ａが弁ガイド部材３６の当接面３６ｂと当接する。これによって、吸引源側配管２７と大気との連通が遮断される。
【００３１】
また、プランジャ３７が下降することによって、このプランジャ３７の延在部３７ｂに設けた取付溝３７ｃに装着した弁部４０が弁ケーシング３２の摺動面部３２ａに沿って摺動して、この摺動面部３２ａから離脱する。その結果、吸引通路２６が接続されている第１のチャンバ３３が吸引源側配管２７に通じている第２のチャンバ３４と連通する開弁状態となり、吸引通路２６内に負圧吸引力を作用させることができ、処置具挿通チャンネル２４から体内汚物や体液等の吸引が行われる。このときに、弁ケーシング３２と弁ガイド部材３６との間にはシール部材３８が介在して、その間が気密状態となっており、また前述したように開口部４５も閉鎖されているので、外気からの吸い込みが発生することがなく、吸引通路２６における負圧吸引力が低下することはない。特に、前述したシール部材３８は吸引バルブの作動時に相対移動することがない弁ケーシング３２と弁ガイド部材３６との間に介装されているので、シール性が良好に保たれて、その間における気密が確実に確保される。
【００３２】
吸引を停止するには、プランジャ３７の突端部３７ｄに作用させている押圧力を解除する。弾性筒部材４３は弾性復元力を有するものであるから、この弾性復元力によってプランジャ３７が引き上げられることになる。その結果、プランジャ３７の延在部３７ｂにおける取付溝３７ｃに装着した弁部４０が、硬質部材で構成されている弁ケーシング３２のテーパ部３２ｂから摺動面部３２ａに乗り上げることになり、弁部４０がこの摺動面部３２ａと当接して第１のチャンバ３３と第２のチャンバ３４との間の連通が遮断される閉弁状態に復帰する。ここで、弁ケーシング３２，弁ガイド部材３６及びプランジャ３７は同心性が確保されているので、プランジャ３７に設けた弁部４０は弁ケーシング３２のテーパ部３２ｂから摺動面部３２ａに円滑に乗り上げて閉弁状態になる。そして、弁部４０が摺動面部３２ａに対して正確に調芯されているので、この弁部４０の全周にわたって均等な圧接力が発揮する。従って、閉弁時における弁部４０の撓み代を小さくしても、気密保持が可能になり、弁部４０を設けたプランジャ３７の操作性が良好となる。
【００３３】
体内からの吸引を行うと、吸引経路が汚損されることになり、使用後にはこの吸引経路を洗浄及び消毒しなければならない。このために、図５及び図６に示したように、吸引制御装置３０を構成する弁ガイド部材３６及びプランジャ３７の組立体を取り外す。ただし、プランジャ３７に設けた弁部４０と共に吸引通路２６を開閉する機能を発揮する摺動面部３２ａを有する弁ケーシング３２は本体操作部２１の筐体３１に固定したままで保持される。図５に示したように、弁ケーシング３２における第２のチャンバ３４は大径の空間からなり、摺動面部３２ａで縮径された上で、この摺動面部３２ａの内部より広い第１のチャンバ３４に至るが、この弁ケーシング３２の内部は直進状態となっているので、ブラシを挿入する等によって、容易に、しかも確実に洗浄及び消毒をすることができる。また、接続パイプ３９を含む弁ガイド部材３６及びプランジャ３７の組立体は、独立に洗浄及び消毒するか、若しくは使用後は廃棄して、新たな組立体を装着することもできる。
【図面の簡単な説明】
【００３４】
【図１】本発明の実施の一形態を示す内視鏡の吸引機構の構成を示す説明図である。
【図２】図１の吸引機構における吸引制御装置の構成を示す断面図である。
【図３】図２のＸ−Ｘ断面図である。
【図４】図２とは異なる作動状態を示す吸引制御装置の断面図である。
【図５】吸引制御装置を分解して示す断面図である。
【図６】吸引制御装置を構成するガイド部材及びプランジャの組立体の正面図である。
【図７】従来技術による吸引制御装置の断面図である。
【図８】吸引作動状態を示す図７と同様の断面図である。
【符号の説明】
【００３５】
２０  内視鏡              ２１  本体操作部
２２  挿入部              ２４  処置具挿通チャンネル
２６  吸引通路            ２７  吸引源側配管
２８  吸引源装置          ３０  吸引制御装置
３１  筐体                ３２  弁ケーシング
３２ａ  摺動面部          ３３  第１のチャンバ
３４  第２のチャンバ      ３６  弁ガイド部材
３６ａ  ガイド面          ３８  シール部材
３９  接続パイプ          ４０  弁部
４１  連通路              ４３  弾性筒部材
４５  開口部
【図１】
0004783155.tif 000002
【図２】
0004783155.tif 000003
【図３】
0004783155.tif 000004
【図４】
0004783155.tif 000005
【図５】
0004783155.tif 000006
【図６】
0004783155.tif 000007
【図７】
0004783155.tif 000008
【図８】
0004783155.tif 000009